(57)【特許請求の範囲】
【請求項１】
左右方向及び上下方向に垂直な挿入方向へのディスクの挿入及びその挿入方向に反対の排出方向へのディスクの排出がされる挿入口が形成された挿入部を有する基台と、
前記挿入口から挿入されたディスクに記録された情報を再生するディスク再生部と、
前記ディスク再生部を前記挿入部から離間した状態で弾性部材を介して前記基台に揺動自在に取り付けて支持する弾性支持部と、
前記ディスク再生部を前記基台に対して固定し、ディスクを前記挿入口から挿入および排出可能にする固定機構と、を備え、
前記ディスク再生部の左右両脇において左右の側壁部が前記基台の左右にそれぞれ備えられ、
前記固定機構が、
前記左右の側壁部のそれぞれに設けられ、当該側壁部から前記ディスク再生部へ隆起した左右の位置規制部と、
前記ディスク再生部の左右両側面のそれぞれに、挿入方向及び排出方向に移動可能に取り付けられた左右のロックスライダと、
前記左右のロックスライダを介して前記ディスク再生部を挿入方向及び排出方向に移動させる移動手段と、を備え、
前記左右のロックスライダであって前記左右の側壁部に対向する面に左右の係合溝がそれぞれ形成され、
前記左右の係合溝が排出方向に切り込まれているとともに挿入方向に開口して排出方向に終端し、
前記固定機構は、
前記移動手段により前記左右のロックスライダを挿入方向に移動させることにより、前記左右の係合溝の排出方向終端に前記左右の位置規制部をそれぞれ係合させるとともに前記左右のロックスライダを前記左右の位置規制部にそれぞれ当接させることによって、前記ディスク再生部を前記基台に対して挿入方向、左右方向及び上下方向に移動不能な状態で、前記ディスク再生部を前記挿入口側に移動し前記挿入部側で前記基台の部位に前記ディスク再生部を当接させることで、排出方向について前記ディスク再生部を移動不能にして固定した固定状態と、
前記移動手段により前記左右のロックスライダを排出方向に移動させることにより、前記左右の係合溝と前記左右の位置規制部との係合を解除するとともに前記左右のロックスライダを前記左右の位置規制部から離間させることによって、前記ディスク再生部の前記基台に対する全ての方向についての固定を解除するとともに、前記ディスク再生部を前記挿入部から離間させる固定解除状態と、を切り換え可能に構成されてなることを特徴とするディスク再生装置。
【発明の詳細な説明】
【０００１】
【発明の属する技術分野】
この発明は、ディスク再生装置に関する。
【０００２】
【従来の技術】
車載用のディスク再生装置の一例として、特開平５−２８１２号公報に開示のものが知られている。
この公報に開示のディスク再生装置では、ＣＤ（コンパクトディスク）等のディスクに記録された情報を再生するディスク再生部に自動車等の移動時における振動を伝えにくくして、ディスク再生時の音飛びを防いでいた。すなわち、箱形に形成された基台の内部に、ターンテーブルやピックアップ等を備えるディスク再生部をバネやダンパ等の弾性部材によって、基台の内壁からディスク再生部が離間した状態で、揺動可能に支持していた。
また、ディスクは基台の外側に設けられた挿入口から挿入および排出されるが、このディスクの挿入時および排出時においては、ディスク再生部を基台の内壁から離間した状態で、ディスク挿入方向および排出方向（前後方向）、およびディスク挿入方向に垂直で互いに直交する２軸の各方向（上下方向および左右方向）について固定していた。このようにしてディスク再生部を固定することで、ディスクを挿入口に対して位置決めし、ディスクの挿入および排出を容易にしていた。
【０００３】
【発明が解決しようとする課題】
しかし、上記ディスク再生装置においてディスク再生部が基台に対して固定される時に、ディスク再生部は挿入口から離間して固定されている。このため、ディスクを挿入する際には、ディスクを挿入口からディスク再生部と挿入口との間の距離の分だけ奥に押し込まねばならなかった。また、ディスクを挿入口から排出する際にも、ディスク挿入口とディスク再生部との間の距離の分だけディスクが挿入口から突出される量が少なくなっていた。したがって、ディスク挿入時および排出時に、ディスク記録面に皮脂等の汚れが付着しないようにしながら、ディスクを挿入口から押し込んだり、取り出したりするのは困難であった。
本発明の課題は、ディスク挿入時および排出時において、挿入口とディスク再生部との間の距離を短くし、ディスクの挿入や排出を容易にすることのできるディスク再生装置を提供することである。
【０００４】
【課題を解決するための手段】
本発明は、左右方向及び上下方向に垂直な挿入方向へのディスクの挿入及びその挿入方向に反対の排出方向へのディスクの排出がされる挿入口が形成された挿入部を有する基台と、前記挿入口から挿入されたディスクに記録された情報を再生するディスク再生部と、前記ディスク再生部を前記挿入部から離間した状態で弾性部材を介して前記基台に揺動自在に取り付けて支持する弾性支持部と、前記ディスク再生部を前記基台に対して固定し、ディスクを前記挿入口から挿入および排出可能にする固定機構と、を備え、前記ディスク再生部の左右両脇において左右の側壁部が前記基台の左右にそれぞれ備えられ、前記固定機構が、前記左右の側壁部のそれぞれに設けられ、当該側壁部から前記ディスク再生部へ隆起した左右の位置規制部と、前記ディスク再生部の左右両側面のそれぞれに、挿入方向及び排出方向に移動可能に取り付けられた左右のロックスライダと、前記左右のロックスライダを介して前記ディスク再生部を挿入方向及び排出方向に移動させる移動手段と、を備え、前記左右のロックスライダであって前記左右の側壁部に対向する面に左右の係合溝がそれぞれ形成され、前記左右の係合溝が排出方向に切り込まれているとともに挿入方向に開口して排出方向に終端し、前記固定機構は、前記移動手段により前記左右のロックスライダを挿入方向に移動させることにより、前記左右の係合溝の排出方向終端に前記左右の位置規制部をそれぞれ係合させるとともに前記左右のロックスライダを前記左右の位置規制部にそれぞれ当接させることによって、前記ディスク再生部を前記基台に対して挿入方向、左右方向及び上下方向に移動不能な状態で、前記ディスク再生部を前記挿入口側に移動し前記挿入部側で前記基台の部位に前記ディスク再生部を当接させることで、排出方向について前記ディスク再生部を移動不能にして固定した固定状態と、前記移動手段により前記左右のロックスライダを排出方向に移動させることにより、前記左右の係合溝と前記左右の位置規制部との係合を解除するとともに前記左右のロックスライダを前記左右の位置規制部から離間させることによって、前記ディスク再生部の前記基台に対する全ての方向についての固定を解除するとともに、前記ディスク再生部を前記挿入部から離間させる固定解除状態と、を切り換え可能に構成されてなることを特徴とする。
【０００６】
【発明の実施の形態】
以下に図面を参照して本発明のディスク再生装置にかかる実施の形態を詳細に説明する。
なお、本実施の形態においては、ディスク再生装置は、ディスクとして音楽情報等が記録されたＣＤ（コンパクトディスク）を再生するＣＤプレーヤとして説明を行うものとし、さらにこのＣＤプレーヤーは車に搭載されるものとして説明を行う。また、ＣＤには、直径が１２ｃｍのディスクと、８ｃｍのディスクとがあるが、本実施の形態におけるディスク再生装置においてはこのどちらのディスクも再生可能となっている。
【０００７】
図１〜図５に示すディスク再生装置１は、ディスク８が挿入および排出される挿入口２１を有する挿入部２２が設けられた基台２０と、この挿入口２１から挿入されたＣＤを再生するディスク再生部１０と、このディスク再生部１０を挿入部２２から離間した状態で弾性部材５、６を介して基台２０に揺動自在に取り付ける弾性支持部と、ディスク再生部１０を基台２０に対して固定する固定機構とを備えている。
【０００８】
また、ディスク再生装置１はダッシュボード９０に設けられており、ダッシュボード９０に形成された開口部９１と挿入口２１とが連通している。この開口部９１を介して挿入口２１からディスク８を挿入することができる。
また、ディスク再生装置１は、ダッシュボード９０に取り付けられる操作パネル（図示略）を備え、ユーザーがこの操作パネルを操作することによって、ディスク再生装置１はディスク８の再生やディスクの排出などの所定の動作を行うようになっている。
【０００９】
基台２０は、箱状に形成されており、図１（ａ）、図２（ａ）に示すように、前記挿入部２２は、直交３軸のうちＹ軸の負の方向側の一面をなす前側の壁部分を構成している。また、基台２０の両側方には直交３軸のうちＸ軸の正負方向のそれぞれ一面をなす側壁部２３が備えられている。
なお、図１〜図５に示す直交３軸において、Ｘ軸方向を左右方向、Ｙ軸方向を前後方向、Ｚ軸方向を上下方向とする。また、Ｙ軸の正の方向はディスク８が挿入口２１から挿入されるディスク挿入方向であり、Ｙ軸の負の方向はディスク８が挿入口２１から排出されるディスク排出方向である。さらに、Ｚ軸は紙面の裏から表に突き抜ける方向を正の方向としている。
【００１０】
弾性支持部は、４つのダンパ５（弾性部材）と４つのサスペンションバネ６（弾性部材）とからなっている。
ダンパ５は、基台２０に取り付けられるとともに弾性変形可能なダンパ本体５１と、このダンパ本体５１から突出して設けられ、その先端部５３がディスク再生部１０に固定されたダンパピン５２とから構成されている。ダンパピン５２は、ダンパ５に特に負荷が加えられていない自然状態においては、図２に示すように、側面視においてダンパ本体５１の中心に位置するように設けられている。また、ダンパ５に、例えばディスク挿入方向側に引っ張る力が加えられたときには、図１に示すように、ダンパ本体５１は弾性変形し、ダンパピンはダンパ本体５１の中心からディスク挿入方向側に偏心した位置に移動することができる。
また、サスペンションバネ６の両端部は、基台２０とディスク再生部１０とに取り付けられている。
【００１１】
これらのダンパ５およびサスペンションバネ６は、これらに特に負荷の与えられていない自然状態において、再生部１０と挿入部２２および側壁部２３とがそれぞれ離間している。このため、ダンパ５およびサスペンションバネ６は、それぞれの弾性変形可能範囲内においてディスク再生部１０を基台２０に対してＸ軸、Ｙ軸、Ｚ軸の各方向に揺動自在に支持し、ディスク再生部に車の移動等に伴う振動を伝えにくくしている。
なお、ディスク再生部１０と挿入部２２との間に設けられる間隙を図２（ａ）ではＣとして示す。
【００１２】
図１および図２に示すディスク再生部１０は、ターンテーブル１１や、ピックアップ（図示略）等のＣＤを再生するために必要な機能を備えている。また、ディスク再生部１０には、このディスク再生部１０にディスク挿入方向およびディスク排出方向のそれぞれに回動自在に取り付けられたディスク搬送ローラ１２と、ディスク８の二重入れを防止するローラーレバー１３とを備えている。
前記ディスク搬送ローラ１２がディスク挿入方向に回転すると、ディスク搬送ローラ１２に載せられたディスク８はディスク挿入方向に引き込まれて、ターンテーブル１１上の所定の位置に載置される。また、ディスク搬送ローラ１２がディスク排出方向に回転すると、ディスク搬送ローラ１２に載せられたディスク８はディスク排出方向に送り出されて、ディスク８は挿入口２１から排出される。
【００１３】
ローラーレバー１３は、ディスク再生部１０に回動自在に取り付けられた柄１３ａと、この柄１３ａの先端に設けられたディスク二重入れ防止板１３ｂとを備えている。
二重入れ防止板１３ｂは、ディスク８がターンテーブル１１上の所定の位置に載置されている時には、図２の（ｂ）および（ｃ）に示すように、挿入口２１の開口面に平行に位置し、ディスク８を二重にディスク再生部１０側に挿入することができないように構成されている。また、ディスク８の挿入および排出の際にはディスク８の挿入および排出の妨げにならないように、二重入れ防止板１３ｂは、柄１３ａが下方に回動することに伴って、挿入口２１の開口面から下方に下げられるように構成されている。
【００１４】
また、図１、図２および図４に示すように、ディスク再生部１０にはターンテーブル１１の所定の位置に載置されたディスク８をその上方からクランプするためのクランパーアーム１５が設けられている。
さらに、ディスク再生部１０には、図４に示すように、後で詳細に説明するキャリア歯車７０等のギア類が取り付けられている。
【００１５】
前記固定機構は、主として、ディスク挿入方向および排出方向に沿うディスク再生部の相対する両側面のそれぞれに、ディスク挿入方向及び排出方向に移動可能に取り付けられたロックスライダ３、４と、ロックスライダ３、４を移動させる移動手段と、前記基台２０に設けられてロックスライダ３、４に設けられた係合溝（係合部）３５、４５に係合することでロックスライダ３、４の挿入方向の移動位置を規制する位置規制部２５とから構成されている。また、前記移動手段は、係合溝３５、４５と位置規制部２５とを係合させた状態で、ロックスライダ３、４を介してディスク再生部１０をディスク排出方向に移動させて、挿入部２２に当接させることができる。
【００１６】
ディスク再生部１０の右側に取り付けられた右側ロックスライダ３（図１（ｂ）、図２（ｂ）、（ｄ）参照）と、ディスク再生部１０の左側に取り付けられた左側ロックスライダ４（図１（ｃ）、図２（ｃ）、（ｅ）参照）には、前記ローラーレバー１３に付設されたピン１３ｃ、１３ｄによって互いに連結されている。右側ロックスライダ３および左側ロックスライダ４のそれぞれには、このピン１３ｃ、１３ｄが摺動自在に挿入されるカム孔３１、４１に挿入されている。このため、右側ロックスライダ３を移動させると、左側ロックスライダ４は追従して移動する。
【００１７】
位置規制部２５は、図１および図２に示すように、基台２０の両側壁部２３にそれぞれ２つずつ設けられている。
それぞれの位置規制部２５は、図３の（ａ）に示すように、周囲にテーパを有してロックスライダ３、４側に隆起するとともに基台内の側壁部２３間の幅を絞り込むように形成された位置規制絞り部２５ａと、このテーパに包囲された中央に平坦に形成された先端面２５ｂと、この先端面からロックスライダ３、４側に突出した位置規制ピン２５ｃとを備えている。
【００１８】
右側ロックスライダ３および左側ロックスライダ４の基台２０に側壁部２３に対向する面には、図１の（ｂ）、（ｃ）、図２の（ｂ）、（ｄ）と（ｃ）、（ｅ）、および図３に示すように、前記位置規制ピン２５ｃが係合する係合溝３５、４５が備えられている。
この係合溝３５、４５は、ディスク排出方向（Ｙ軸の負の方向）に切り込まれたＵ字状の溝であり、図３の（ｂ）に詳細に示すように、Ｙ軸の正の方向に開口部３５ａ、４５ａを有し、Ｙ軸の負の方向に終端部３５ｂ、４５ｂを有している。また、側面視において開口部３５ａ、４５ａのＺ軸方向の幅Ｗ１は終端部３５ｂ、４５ｂのＺ軸方向の幅Ｗ２よりも広く形成されている。
【００１９】
図３の（ｂ）に示すように位置規制ピン２５ｃが終端部３５ｂ、４５ｂに当接すると、つまり、位置規制ピン２５ｃと係合溝３５、４５とが係合すると、位置規制絞り部２５ａの平坦な先端面２５ｂもロックスライダ３、４に当接する。よって、ロックスライダ３、４の基台２０に対する移動がディスク挿入方向、左右方向および上下方向について規制され、同時にディスク再生部１０がディスク挿入方向、左右方向および上下方向について移動不能に固定される。
【００２０】
また、図１の（ｂ）、（ｃ）に示すように、両ロックスライダ３、４をディスク挿入方向に移動させると、位置規制部２５は前記係合溝３５、４５に係合するとともに、ディスク再生部１０はロックスライダ３、４を介してディスク排出方向に移動して挿入部２２に当接して、基台２０に対してディスク再生部１０が固定された固定状態となる。
【００２１】
また、ロックスライダ３、４をディスク排出方向に移動させると、図２の（ｂ）および（ｃ）に示すように、前記位置規制部２５と係合溝３５、４５との係合が解除されて固定解除状態となる。
このようにロックスライダ３、４を前後方向に移動させることによって、ディスク再生部１０の固定状態と固定解除状態とが切換可能となっている。そして、ディスク８の挿入および排出に連動して、固定状態と固定解除状態とが切り換えられる。
【００２２】
これらのロックスライダ３、４の前後方向の移動は、以下に説明する移動手段によって行われる。移動手段は、主として、クランパーアーム１５に取り付けられたトリガーアーム１６とキャリア歯車７０等から構成されている。
【００２３】
トリガーアーム１６は、図１、図２及び図４に示すように、クランパーアーム１５に、Ｚ軸周りに回転自在に取り付けられている。このトリガーアーム１６の３つの端部にはそれぞれ下方に突出する凸部１７ａ、１７ｂ、１７ｃが備えられている。
図４の（ａ１）および（ａ２）に示すように、凸部１７ａはターンテーブル１１上に１２ｃｍディスク８が挿入されたときにこのディスク８を受けるものであり、同様に、図４の（ｂ１）および（ｂ２）に示すように凸部１７ｂは８ｃｍディスク８１を受けるものである。
【００２４】
また、トリガーアーム１６がディスク挿入方向に回転する時に、凸部１７ｃが当接するトリガースライダ１８が設けられている。このため、凸部１７ｃが当接するとトリガースライダ１８は、ディスク排出方向に移動する。
このトリガースライダ１８は右側ロックスライダ３に前後方向に移動可能に支持されるとともに、図５（ｃ）、（ｄ）に示すように、トリガースライダ１８と右側ロックスライダ３とはバネ１８ａを介して互いに接続されている。このため、トリガースライダ１８がディスク排出方向に移動すると、この動きに追従して右側ロックスライダ３もディスク排出方向に移動する。
【００２５】
前記キャリア歯車７０は、図５の（ａ）〜（ｄ）に示すように、外周の一部に歯列を備え、他の外周の一部にアーム部７０ａがその半径方向外方に延設され、遊星歯車７１を偏心位置に搭載している。
また、キャリア歯車７０は図示しないモータにより駆動される小径の駆動歯車７５と同一軸に回転自在に取り付けられ、駆動歯車７５に遊星歯車７１を噛合させている。遊星歯車７１はキャリア歯車７０の回転に伴い駆動歯車７５に対して公転する。また、遊星歯車７１はディスク再生部１０に対して固定された内歯列７２に対して、その公転位置により噛合する。内歯列７２は図４に示すように、ディスク再生部１０に形成された複数の歯からなり、１２分の７周程度の長さに弧状内向きに連続している。
そして、図５の（ａ）〜（ｄ）に示すように、右側ロックスライダ３にはこのアーム部７０ａに当接する凸部３８が設けられている。
【００２６】
以下に、前記移動手段によるロックスライダ３、４の移動について説明する。まず、右側ロックスライダ３のディスク排出方向への移動について説明する。ロックスライダ３、４のディスク再生部１０に対するディスク排出方向への移動はトリガーアーム１６の回転に伴って行われる。
【００２７】
ディスク８、８１の挿入に伴って、トリガーアーム１６がディスク挿入方向に回転すると、凸部１７ｃがトリガースライダ１８に当接し、トリガースライダ１８は、ディスク排出方向に移動する。トリガースライダ１８がディスク排出方向に移動すると、右側ロックスライダ３はこの動きに追従してディスク排出方向に移動する。そして、右側ロックスライダ３の移動に追従して左側ロックスライダ４もディスク排出方向に移動することになる。このようにして、前記移動手段によってロックスライダ３、４のディスク排出方向への移動が行われる。
なお、左右のロックスライダ３、４がディスク排出方向に移動し、ローラーレバー１３に付設されたピン１３ｃ、１３ｄがカム孔３１、４１のＹ軸の正方向の限度の位置に達した時に、ロックスライダ３、４のディスク排出方向への移動はディスク再生部１０に対して規制される。
【００２８】
次に、前記移動手段によるロックスライダ３、４のディスク挿入方向への移動について説明する。ロックスライダ３、４のディスク挿入方向への移動は、主として、図４に示すキャリア歯車７０の回転に伴って行われる。
図示しないモータが図５（ａ）において駆動歯車７５を反時計回りに回転させると、キャリア歯車７０は遊星歯車７１を介して駆動され、図５の（ａ）、（ｂ）、（ｃ）、（ｄ）の順に示すように時計回りに回転する。アーム部７０ａは右側ロックスライダ３に設けられた前記凸部３８に当接されているので、右側ロックスライダ３はディスク挿入方向に移動させられる。そして、左側ロックスライダ４は追従して、右側ロックスライダ３と同様にディスク挿入方向に移動する。このようにしてロックスライダ３、４のディスク挿入方向への移動が行われる。
【００２９】
なお、ロックスライダ３、４がディスク挿入方向に移動し、ローラーレバー１３に付設されたピン１３ｃ、１３ｄがＹ軸の負の方向の限度の位置に達した時に、ロックスライダ３、４のディスク挿入方向への移動はディスク再生部１０に対して規制される。
【００３０】
従って、前記固定機構によってディスク再生装置１へのディスク挿入動作および排出動作は次のように行われる。
まず、ディスク挿入動作について説明する。図１の（ａ）に示すように、１２ｃｍディスク８を挿入すると、図示しない検知手段はこれを検知し、図示しないモータにディスク搬送ローラ１２をディスク挿入方向へ回転させるように指示する。
【００３１】
１２ｃｍディスク８はターンテーブル１１上の所定の位置まで搬送され、図４の（ａ１）および（ａ２）に示すようにトリガーアーム１６の凸部１７ａを押す。なお、８ｃｍディスク８１の場合は図４の（ｂ１）および（ｂ２）に示すように凸部１７ｂを押す。
そして、トリガーアーム１６が回転すると、凸部１７ｃはトリガースライダ１８をディスク排出方向へ押す。トリガースライダ１８の移動に伴い右側ロックスライダ３がディスク排出方向へ追随して移動し、ロックスライダ３、４の係合溝３５、４５から位置規制ピン２５ｃが外れて、図２の（ｂ）および（ｃ）に示す状態となる。
【００３２】
右側ロックスライダ３がディスク排出方向へ移動したことにより、同時に以下の動作が連動して行われる。
図１に示すように、右側ロックスライダ３にはカム孔３２が設けられ、クランパーアーム１５に付設されたピン１５ａが挿入されている。クランパーアーム１５はディスク再生部１０に軸１５ｂを介して回転自在に取り付けられている。したがって、右側ロックスライダ３が前へ移動したことにより、クランパーアーム１５が閉じディスク８はターンテーブル１１上にクランプされる。
【００３３】
そして、ディスク８がクランプされると、ディスク８はディスク搬送ローラ１２から乖離し、同時にローラーレバー１３に設けられた二重入れ防止板１３ｂが上方に移動し、挿入口２１の開口面と平行に位置される。また、弾性変形したダンパ５およびバネ６はそれぞれ自然状態に復帰し、ディスク再生部１０はダンパ５とサスペンションバネ６の付勢力によってディスク挿入方向に移動し、挿入部２２と所定間隔Ｃを開けて、基台２０に対して揺動自在に支持された状態となる。
以上により、ロックスライダ３、４は位置規制絞り部２５ａ及び位置規制ピン２５ｃから乖離し、ディスク再生部１０の基台２０に対する固定は解除され、固定解除状態となる。
【００３４】
次に、ディスク排出動作について説明する。図２の（ｂ）、（ｃ）に示すように、ディスク再生部１０は固定解除状態にある。ユーザーが操作パネルを操作することなどにより、ディスク排出信号が入力されると、図示しないモータは、図５の（ａ）において、駆動歯車７５を反時計回りに回転させて、遊星歯車７１を介してキャリア歯車７０を時計回りに回転させる。そして、キャリア歯車７０の回転に伴って、右側ロックスライダ３はディスク挿入方向に移動する。
【００３５】
この時、遊星歯車７１が図５の（ａ）から（ｂ）に示す位置に移動する前に、右側ロックスライダ３の係合溝３５に位置規制ピン２５ｃが係合する（図２の（ｄ）参照）。しかし、図２の（ｄ）に示すように、ローラーレバー１３に付設されたピン１３ｃ、１３ｄは、カム孔３１、４１のＹ軸の負の方向の限度には位置しておらず、右側ロックスライダ３および左側ロックスライダ４はディスク再生部１０に対してディスク挿入方向について相対的に移動可能な状態にある。
【００３６】
したがって、駆動歯車７５をさらに図５の（ａ）、（ｂ）、（ｃ）、（ｄ）の順に回転させると、左右両側のロックスライダ３、４は基台２０に対して移動が規制されているので、ディスク再生部１０がロックスライダ３、４に対して相対的にディスク排出方向に移動する。
この時、図１の（ａ）に示すように、ダンパピン５２がディスク再生部１０に引っ張られて、挿入口２１側に偏心した位置に移動するとともにダンパ本体５１も弾性変形する。これと同時に、サスペンションバネ６も弾性変形する。これらの弾性部材５、６の弾性変形はディスク再生部１０をディスク挿入方向に引き戻すように付勢する付勢力が作用するが、この付勢力に抗するようにしてさらに駆動ギア７５を回転させる。このようにして、ディスク再生部１０をダンパ５およびサスペンションバネ６の付勢力に抗してディスク挿入口２１側に移動させて、挿入部２２に当接させて、ディスク再生部１０と挿入部２２との間に設けられた間隙Ｃがなくなる。
【００３７】
これらと同時に、上述したクランパーアーム１５、ローラーレバー１３、左側ロックスライダ４の連動動作がディスク排出時と逆に行われる。
以上によって、ディスク再生部１０は、基台２０に対してディスク挿入方向、及び上下方向及び左右方向に移動不能に固定され、かつ、ディスク挿入口２１側に移動されて、挿入部２２に当接し、ディスク排出方向について移動不能に固定された固定状態となる。
【００３８】
本実施の形態によれば、ロックスライダ３、４をディスク挿入方向に移動させることによって、ディスク再生部１０は基台２０に対して固定された固定状態となり、この固定状態において、ディスク再生部１０はディスク挿入部２２に当接している。したがって、ディスク再生部１０とディスク挿入部２２との間に設けられていた間隙Ｃがなくなり、ディスク挿入部２２とディスク再生部１０との距離が短くなる。このため、従来と同様にディスク８の排出動作を行っても、挿入口２１から排出されるディスク８の突出量が大きくなる。このため、ディスク８の記録面に手を触れずにディスク８を挿入口２１から取り出すのが容易になる。また、ディスク８の挿入時においても、ディスク再生部１０は上記のように固定されているため、従来と比較すると、挿入口２１からディスク８を挿入させる量が少なくても、ディスク搬送ローラ１２によりディスク８がターンテーブル１１上の所定の位置まで移動されて載置される。したがって、ディスク８の挿入および排出が容易になり、ディスク再生装置１の使い勝手が良くなる。
【００３９】
また、挿入部２２に当接した状態で、ディスク再生部１０が基台２０に対してディスク挿入方向及び排出方向、左右方向、上下方向の全ての方向について固定されている。このため、ディスク８の挿入時および排出時において、ディスク８の挿入位置および排出位置が安定し、位置決めが確実になされる。
【００４０】
また、ディスク再生部１０がディスク挿入部２２側に移動して、挿入部２２に当接して基台２０に対して固定されると、ダンパ５およびサスペンションバネ６はそれぞれ弾性変形して、元に戻ろうとする力がディスク再生部１０に作用する。つまり、弾性部材５、６によってディスク再生部１０をディスク挿入方向に移動させる付勢力が作用する。しかし、この付勢力に抗するように、駆動ギアを回転させてディスク再生部１０をディスク排出方向に付勢して、ディスク再生部１０を基台２０に対して固定している。このため、ディスク再生部１０が前後に移動することがなく、ディスク挿入部２２とディスク再生部１０とがぶつかりカタカタと音をたてることがない。このように発生する音をラトルノイズというが、本実施の形態によればこのラトルノイズの発生を防ぐことができる。
【００４１】
また、本実施の形態によれば、ディスク再生部１０を基台２０に対して固定する際に、ディスク挿入方向と、左右方向と、上下方向の５方向についてのみ、左右両側のロックスライダ３、４を基台２０に対して固定させればよく、ロックスライダ３、４をディスク排出方向への移動を規制する手段を設けなくてもよい。このため、基台２０に設けた位置規制ピン２５ｃおよび位置規制絞り部２５ａと、左右両側のロックスライダ３、４に設けた係合溝３５、４５とによって簡素な構成にすることができる。
しかも、係合溝３５、４５を位置規制部２５に係合するように左右両側のロックスライダ３、４をディスク挿入方向に移動させることによって、ディスク再生部１０をディスク排出方向に移動させることができる。従って、ディスク再生部１０をディスク排出方向に移動させるための駆動手段を新たに設ける必要がなく、ロックスライダ３、４を移動させるための駆動力を併用することができる。
【００４２】
また、ロックスライダ３、４を前後移動させるだけで、固定状態と固定解除状態とを容易に切り換えることができる。
以上より、構成を簡素にすることができ、部品点数の削減が図りやすくなり、その結果、品質安定性および低コスト化を図りやすくなる。
【００４３】
なお、本発明は上記実施の形態に限定されるものではなく、本発明の主旨を逸脱しない範囲において適宜変更可能であるのは勿論である。
例えば、ロックスライダ３、４のディスク排出方向への移動をトリガーアーム１６により行い、ロックスライダ３、４のディスク挿入方向への移動をキャリア歯車７０により行うものとしたが、これに限定されるものではなく、モータ、ギア、ラック、カム等を組み合わせた既存の手段によって行ってよいのは勿論である。
また、ディスク再生装置１として車載用のＣＤプレーヤーを例にあげて説明したが、これに限定されるものではない。再生するディスクは、ＬＤ（Laser Disk）、ＤＶＤ（Digital Versatile Disk）やＭＤ（Mini Disk）等であってもよい。
また、本実施の形態においては、ディスク再生部１０を挿入部２２に当接させて、ディスク挿入方向への移動を不能としたが、これに限定するものではなく、基台２０の挿入部側の部位に例えば、ディスク再生部１０が当接するような突設部を設けておき、この突設部にディスク再生部１０を当接させて、ディスク挿入方向への移動を不能としてもよい。要は、ディスク再生部１０が挿入方向に移動しないように、挿入口２１側に移動したディスク再生部１０が、基台２０の部位（挿入部を含む）に当接するような構成となっていればよいものである。
【００４４】
【発明の効果】
本発明によれば、ディスク再生部を基台に対してディスク挿入方向、及びディスク挿入方向に垂直で互いに直交する２軸の各方向に移動不能な状態で、ディスク再生部を挿入口側に移動し挿入部に当接させて、ディスク再生部をディスク排出方向について移動不能にして固定する固定機構が設けられている。従って、ディスクの排出時において、ディスク再生部とディスク挿入部とが当接しているので、ディスク再生部とディスク挿入部との距離が短くなり、その距離の分だけ挿入口からのディスクの突出量が大きくなる。このため、ディスク記録面に手を触れずにディスクを取り出すのが容易になる。また、ディスク挿入時においても挿入口にディスクを挿入する量が小さくても確実にディスクがディスク再生部に挿入されるので、ディスクを挿入するのが容易になる。
【図面の簡単な説明】
【図１】本発明の一例のディスク再生装置の固定状態における平面図（ａ）、右側面図（ｂ）、及び左側面図（ｃ）である。
【図２】本発明の一例のディスク再生装置の固定解除状態における右側面図（ｂ）、及び左側面図（ｃ）と、固定解除状態と固定解除状態との切換途中における状態を示した、ディスク再生装置の平面図（ａ）、右側面図（ｄ）、及び左側面図（ｅ）である。
【図３】本発明の一例の位置規制ピンと係合部との係合状態を示す模式図（平面図（ａ）、側面図（ｂ））である。
【図４】本発明の一例の、１２ｃｍディスクの挿入時の機構の動作を説明する平面図（ａ１）及び一部切断側面図（ａ２）、並びにディスク挿入時の機構の動作を説明する平面図（ｂ１）及び一部切断側面図（ｂ２）である。
【図５】本発明の一例の、右側ロックスライダの移動を説明するためのディスク再生装置の部分平面図である。
【符号の説明】
１    ディスク再生装置
１０  ディスク再生部
１６  移動手段（トリガーアーム）
１８  移動手段（トリガースライダ）
２０  基台
２１  挿入口
２２  挿入部
２５  位置規制部
３、４  ロックスライダ
３５、４５  係合部
７０  移動手段（キャリア歯車）
７１  移動手段（遊星歯車）
７５  移動手段（駆動歯車）
８、８１  ディスク
【図１】
0004021208.tif 000002
【図２】
0004021208.tif 000003
【図３】
0004021208.tif 000004
【図４】
0004021208.tif 000005
【図５】
0004021208.tif 000006